(57)【要約】【課題】送信停止義務がなくても、所定の場合には不要な電波送信を確実に防止できるマルチモード無線端末装置を提供する。【解決手段】マルチモード無線端末装置は、複数の無線システムのそれぞれに対応して設けられる複数の移動電話端末機能部１，２と、複数の無線システムのそれぞれに対応して設けられる複数の簡易端末機能部３，４と、これら移動電話端末機能部１，２及び簡易端末機能部３，４からの電波の送信停止制御を行う送信停止制御部５とを備えている。いずれかの移動電話端末機能部１，２が電波の送信を停止すると、送信停止制御部５はその他のすべての移動電話端末機能部１，２と簡易端末機能部３，４に送信停止制御信号を送信し、この送信停止制御信号を受信した移動電話端末機能部１，２と簡易端末機能部３，４は、デジタル部１１の動作を停止させるとともに、電力増幅部１４への電力供給を停止させるため、電波の送信を確実に停止させることができる。【選択図】　図１
2004128691.tif 000002
【特許請求の範囲】
【請求項１】
予め定めた条件のときに電波の送信停止義務が課された少なくとも一つの無線システムのそれぞれに対応して設けられる少なくとも一つの第１送受信部と、
電波の送信停止義務が課されていない少なくとも一つの無線システムのそれぞれに対応して設けられる少なくとも一つの第２送受信部と、を備えたマルチモード無線端末装置において、
いずれかの前記第１送受信部が前記送信停止義務により電波の送信を停止する場合に、他のすべての前記第１及び前記第２送受信部に対して電波の送信停止を指示する送信停止制御信号を供給する送信停止制御部を備え、
前記送信停止制御信号を受信した前記第１及び第２送受信部はそれぞれ、電波の送信を停止する送信停止部を有することを特徴とするマルチモード無線端末装置。
【請求項２】
前記第１送受信部は、
前記送信停止制御信号を受信するとともに、デジタル的な信号処理を行ってデジタル送信信号を生成するデジタル部と、
前記デジタル送信信号をアナログ送信信号に変換するＡ／Ｄ変換部と、
前記アナログ送信信号に対して変調処理を行って変調信号を生成する変調部と、
前記変調信号の電力増幅を行う電力増幅部と、
少なくとも前記電力増幅部に対して電力を供給する電力供給部と、を有し、
前記デジタル部は、前記送信停止制御信号を受信すると、前記デジタル送信信号の生成処理を中止するとともに、前記送信停止部に対して送信停止信号を出力し、
前記送信停止部は、前記送信停止信号を受信すると、前記電力供給部から前記電力増幅部への電力供給を停止させることを特徴とする請求項１に記載のマルチモード無線端末装置。
【請求項３】
前記第１送受信部は、
前記送信停止制御信号を受信するとともに、デジタル的な信号処理を行ってデジタル送信信号を生成するデジタル部と、
前記デジタル送信信号をアナログ送信信号に変換するＡ／Ｄ変換部と、
前記アナログ送信信号に対して変調処理を行って変調信号を生成する変調部と、
前記変調信号の電力増幅を行う電力増幅部と、
少なくとも前記電力増幅部に対して電力を供給する電力供給部と、を有し、
前記デジタル部は、前記送信停止制御信号を受信すると、前記デジタル送信信号の生成処理を中止し、
前記送信停止部は、前記送信停止制御信号を受信すると、少なくとも前記電力増幅部への電力供給を停止することを特徴とする請求項１に記載のマルチモード無線端末装置。
【請求項４】
前記第１送受信部は、
デジタル的な信号処理を行ってデジタル送信信号を生成するデジタル部と、
前記デジタル送信信号をアナログ送信信号に変換するＡ／Ｄ変換部と、
前記アナログ送信信号に対して変調処理を行って変調信号を生成する変調部と、
前記変調信号の電力増幅を行う電力増幅部と、
少なくとも前記電力増幅部に対して電力を供給する電力供給部と、を有し、
前記送信停止部は、前記送信停止制御信号を受信すると、少なくとも前記電力増幅部への電力供給を停止することを特徴とする請求項１に記載のマルチモード無線端末装置。
【請求項５】
予め定めた条件のときに電波の送信停止義務が課された少なくとも一つの無線システムのそれぞれに対応して設けられる少なくとも一つの第１送受信部と、
電波の送信停止義務が課されていない少なくとも一つの無線システムのそれぞれに対応して設けられる少なくとも一つの第２送受信部と、を備えたマルチモード無線端末装置において、
前記第２送受信部のそれぞれに対応して設けられ、対応する前記第２受信部が故障したことを検出する少なくとも一つの故障検出部と、
前記故障検出部のいずれかにより故障したと判断される場合に、すべての前記第１及び第２送受信部に送信停止制御信号を供給する送信停止制御部と、備え、
前記第１及び第２送受信部のそれぞれは、前記送信停止制御信号を受信すると、電波の送信を停止する送信停止部を有することを特徴とするマルチモード無線端末装置。
【請求項６】
前記第２送受信部は、
デジタル的な信号処理を行ってデジタル送信信号を生成するとともに、動作状態報告信号を所定の時間間隔ごとに出力するデジタル部と、
前記デジタル送信信号をアナログ送信信号に変換するＡ／Ｄ変換部と、
前記アナログ送信信号に対して変調処理を行って変調信号を生成する変調部と、
前記変調信号の電力増幅を行う電力増幅部と、
少なくとも前記電力増幅部に対して電力を供給する電力供給部と、を有し、
前記故障検出部は、
前記動作状態報告信号が所定の時間間隔ごとに受信されるか否かにより、前記デジタル部が故障か否かを判断する第１故障判断部と、
前記電力増幅部の増幅電力を測定し、測定値が所定の電力範囲内にあるか否かにより、故障か否かを判断する第２故障判断部と、を有し、
前記送信停止制御部は、前記第１及び第２故障判断部の少なくとも一方で故障と判断されると、前記送信停止制御信号を出力することを特徴とする請求項５に記載のマルチモード無線端末装置。
【請求項７】
前記第１故障判断部は、前記動作状態報告信号が所定の時間間隔ごとに受信されない場合は故障と判断し、
前記第２故障判断部は、前記電力増幅部の増幅電力が予め定めた規定値の範囲内でなければ故障と判断することを特徴とする請求項６に記載のマルチモード無線端末装置。
【発明の詳細な説明】
【０００１】
【発明の属する技術分野】
本発明は、複数の無線システムに対応したマルチモード無線端末装置に関し、特に、緊急時等に電波の送信停止義務のある無線システムと、義務のない無線システムとの両方に対応した送受信機能を有するマルチモード無線端末装置に関する。
【０００２】
【従来の技術】
現状の移動通信端末は、電気通信端末機器審査協会によりいくつかの状況で送信停止を行うことが義務付けられている（端末設備等規則の第２５条、第２６条、第２７条、第２８条）。具体的には、基地局などからチャネル切断の指示があった場合（第２５条）、受信レベルが劣化したときに自動的に送信を停止する場合（第２６条）、端末が故障した場合（第２７条）、重要通信確保のため基地局から送信停止の指示があった場合（第２８条）である。
【０００３】
しかしながら、マルチモード無線端末装置のように複数の無線システムがそれぞれ別個に動作する端末では、１つの無線システムで送信停止が指示されても、他の無線システムで送信停止が指示されていなければ、不要な電波が送信され続ける可能性があり、重大な事態を招くおそれがある。
【０００４】
従来のマルチモード無線端末装置は図７のように構成されている。図７のマルチモード無線端末装置は、複数の移動電話端末機能部１，２と、簡易端末機能部３とを備えている。ここで、移動電話端末機能部とは、一般には携帯電話や自動車電話などを指し、法的には移動電話用設備（例えば、無線基地局）と無線通信を行う移動電話端末と同等の機能を持つ。したがって、移動電話端末機能部１，２は、予め定めた条件のときに電波の送信停止義務が課されている。
【０００５】
一方、簡易端末機能部は、無線ＬＡＮシステムやＢｌｕｅｔｏｏｔｈ（ＴＭ）機器などと同等の機能を持ち、電波の送信停止義務が課されていない。簡易端末機能部３は、他の簡易端末２３との間で無線通信を行う。
【０００６】
例えば、マルチモード無線端末装置内の複数の移動電話端末機能部１，２がそれぞれ対応する移動電話用設備２１，２２との間で同時に無線通信を行っている場合に、そのうちの１つの移動電話端末機能部が送信停止指示を受信した場合を想定する。この場合、送信停止指示を受けた移動電話端末機能部は指示通りに送信停止を行うが、送信停止指示を受けなかった移動電話端末機能部と簡易端末機能部は、電波の送信停止を行わないため、継続して不要電波を送信し続けるおそれがある。
【０００７】
また、例えば、マルチモード無線端末装置内の複数の移動電話端末機能部１，２がそれぞれ対応する移動電話用設備２１，２２との間で同時に無線通信を行っている場合に、そのうち１つが故障した場合を想定する。この場合、１つが故障したためにその他の移動電話端末機能部にもその影響が及んでしまい、ノイズを含む電波を送信してしまう可能性が極めて高い。
【０００８】
また、例えば、マルチモード無線端末装置内の複数の移動電話端末機能部１，２がそれぞれ対応する移動電話用設備２１，２２との間で同時に無線通信を行っている場合に、移動電話端末機能部１，２のうち１つが重要通信確保のために送信停止指示を受信した場合を想定する。簡易端末については現在、送信停止指示に対する規定はないが、むやみに簡易端末機能部３，４が送信を行うと、少なからず重要通信に悪影響を及ぼすおそれがある。
【０００９】
さらに、マルチモード無線端末装置、特にソフトウェア無線端末などのように、移動電話端末機能と簡易端末機能とを両方備えている端末装置が今後普及することが予想され（特許文献１）、送信停止義務のある無線システムと義務のない無線システムとが混在するマルチモード無線端末装置が増えると予想される。
【００１０】
【特許文献１】
特開２００２−１３５１５８
【００１１】
【発明が解決しようとする課題】
上述したように、現状では簡易端末には送信停止義務はないが、移動電話端末機能部の少なくとも一つが故障して送信停止指示を受けると、その故障が他の移動電話端末機能部や簡易端末機能部にも影響を与えるおそれがある。
【００１２】
しかしながら、従来は他の移動電話端末機能部や簡易端末機能部を強制的に送信停止状態にできなかったため、正常でない電波が送信されるおそれがあり、他者の通信に重大な影響を与えうる。
【００１３】
また、重要通信確保のため、移動電話端末機能部に対して送信停止指示を行った場合でも、簡易端末機能部は継続して不要な電波を送信し続けるおそれがあり、重要通信の妨げになりうる。
【００１４】
さらに、簡易端末として定義されているＢｌｕｅｔｏｏｔｈなどの場合、移動電話端末の一つであるＣＤＭＡと周波数帯が近接しているため、ＣＤＭＡ側で送信停止を行っても、Ｂｌｕｅｔｏｏｔｈの送信電波が重要通信を妨げる可能性があり、これも大きな損失となりうる。
【００１５】
本発明は、このような点に鑑みてなされたものであり、その目的は、送信停止義務がなくても、所定の場合には不要な電波送信を確実に防止できるマルチモード無線端末装置を提供することにある。
【００１６】
【課題を解決するための手段】
上述した課題を解決するために、本発明は、予め定めた条件のときに電波の送信停止義務が課された少なくとも一つの無線システムのそれぞれに対応して設けられる少なくとも一つの第１送受信部と、電波の送信停止義務が課されていない少なくとも一つの無線システムのそれぞれに対応して設けられる少なくとも一つの第２送受信部と、を備えたマルチモード無線端末装置において、いずれかの前記第１送受信部が前記送信停止義務により電波の送信を停止する場合に、他のすべての前記第１及び前記第２送受信部に対して電波の送信停止を指示する送信停止制御信号を供給する送信停止制御部を備え、前記送信停止制御信号を受信した前記第１及び第２送受信部はそれぞれ、電波の送信を停止する送信停止部を有する。
【００１７】
本発明では、いずれかの第１送受信部が電波の送信を停止すると、他のすべての第１及び第２送受信部も電波の送信を停止するため、不要電波の送信を確実に防止できる。
【００１８】
また、予め定めた条件のときに電波の送信停止義務が課された少なくとも一つの無線システムのそれぞれに対応して設けられる少なくとも一つの第１送受信部と、電波の送信停止義務が課されていない少なくとも一つの無線システムのそれぞれに対応して設けられる少なくとも一つの第２送受信部と、を備えたマルチモード無線端末装置において、前記第２送受信部のそれぞれに対応して設けられ、対応する前記第２受信部が故障したことを検出する少なくとも一つの故障検出部と、前記故障検出部のいずれかにより故障したと判断される場合に、すべての前記第１及び第２送受信部に送信停止制御信号を供給する送信停止制御部と、備え、
前記第１及び第２送受信部のそれぞれは、前記送信停止制御信号を受信すると、電波の送信を停止する送信停止部を有する。
【００１９】
【発明の実施の形態】
以下、本発明に係るマルチモード無線端末装置について、図面を参照しながら具体的に説明する。
【００２０】
（第１の実施形態）
図１は本発明に係るマルチモード無線端末装置の第１の実施形態の概略構成を示すブロック図である。図１のマルチモード無線端末装置は、複数の無線システムのそれぞれに対応して設けられる複数の移動電話端末機能部１，２と、複数の無線システムのそれぞれに対応して設けられる複数の簡易端末機能部３，４と、これら移動電話端末機能部１，２及び簡易端末機能部３，４からの電波の送信停止制御を行う送信停止制御部５とを備えている。
【００２１】
移動電話端末機能部１，２は、Ｗ−ＣＤＭＡ，ＰＤＣ，ＰＨＳなどを指し、予め定めた条件（例えば、基地局から送信停止指示があった場合、受信感度が低下した場合、端末機能部が故障した場合、重要通信確保のため送信停止指示があった場合）のときに電波の送信停止義務が課されている。移動電話端末機能部１，２はそれぞれ、対応する移動電話用設備（例えば、基地局）２１，２２と無線通信を行う。
【００２２】
簡易端末機能部３，４は、無線ＬＡＮシステムやＢｌｕｅｔｏｏｔｈなどを指し、特に電波の送信停止義務が課されていない。簡易端末機能部３，４はそれぞれ、対応する他の簡易端末２３，２４との間で無線通信を行う。
【００２３】
送信停止制御部５は、複数の移動電話端末機能部１，２のいずれから出力された送信停止信号を受信し、他のすべての移動電話端末機能部１，２と簡易端末機能部３，４に対して、電波の送信を指示する送信停止制御信号を送信する。
【００２４】
図２は移動電話端末機能部１，２及び簡易端末機能部３，４の内部構成の一例を示すブロック図である。図示のように、移動電話端末機能部１，２及び簡易端末機能部３，４は、デジタル的な信号処理を行ってデジタル送信信号を生成するデジタル部１１と、デジタル送信信号をアナログ送信信号に変換するＤ／Ａ変換部１２と、アナログ送信信号の直交変調、フィルタリング及び周波数変換などを行って変調信号を生成する変調部１３と、変調信号の電力増幅を行ってアンテナに供給する電力増幅部１４と、少なくとも電力増幅部１４に対して電力を供給する電力供給部１５と、送信停止制御信号を受信した場合に電波の送信を停止する送信停止部１６と、を有する。
【００２５】
デジタル部１１は、誤り訂正などの各種の信号処理を行うため、ＡＳＩＣなどの専用チップで構成してもよいし、ＣＰＵなどの汎用チップを用いてソフトウェア処理により実現してもよい。
【００２６】
デジタル部１１は、送信停止制御信号を受信すると、デジタル送信信号の生成処理を中止するとともに、送信停止部１６に対して送信停止信号を供給する。送信停止部１６は、例えば電力スイッチで構成されており、送信停止信号を受信すると、電力供給部１５から電力増幅部１４への電力供給を停止する。
【００２７】
なお、送信停止部１６は、電力増幅部１４だけでなく、デジタル部１１、Ｄ／Ａ変換部１２及び変調部１３の少なくとも一つに対しても電力を供給してもよい。この場合、送信停止部１６は、電力供給部１５からの電力が各部に供給されないようにする。
【００２８】
このように、第１の実施形態では、いずれかの移動電話端末機能部１，２が電波の送信を停止すると、送信停止制御部５はその他のすべての移動電話端末機能部１，２と簡易端末機能部３，４に送信停止制御信号を送信し、この送信停止制御信号を受信した移動電話端末機能部１，２と簡易端末機能部３，４は、デジタル部１１の動作を停止させるとともに、電力増幅部１４への電力供給を停止させるため、電波の送信を確実に停止させることができる。したがって、不要な電波送信が回避され、重要通信の妨げにならないし、故障時のノイズを含んだ電波送信も回避できる。
【００２９】
移動電話端末機能部１，２と簡易端末機能部３，４は、必ずしも図２のように構成されている必要はなく、いくつかの変形例が考えられる。例えば、図３は移動電話端末機能部１，２と簡易端末機能部３，４の内部構成の第１の変形例を示すブロック図である。図２と異なり、図３では、送信停止制御部５からの送信停止制御信号がデジタル部１１に供給されるとともに、送信停止部１６にも供給されている。
【００３０】
送信停止部１６は、送信停止制御部５からの送信停止制御信号に基づいて、電力増幅部１４に電力を供給するか否かを切り替える。
【００３１】
この第１の変形例では、デジタル部１１から送信停止部１６に送信停止信号を出力しなくて済むため、デジタル部１１の処理負担が軽減される。
【００３２】
また、図４は移動電話端末機能部１，２と簡易端末機能部３，４の内部構成の第２の変形例を示すブロック図である。図２と異なり、図４では、送信停止制御部５からの送信停止制御信号が送信停止部１６のみに供給される。送信停止部１６の動作は図２と同じであるが、デジタル部１１には送信停止制御信号が入力されないため、デジタル部１１は常に信号処理を行う。
【００３３】
このため、送信停止指示が来ても、デジタル部１１、Ｄ／Ａ変換部１２及び変調部１３は動作を行うが、電力増幅部１４には電力が供給されないため、電波が送信されるおそれはない。
【００３４】
この第２の変形例は、図２や図３と比べて消費電力が増えるが、デジタル部１１の処理負担がさらに簡易化する。
【００３５】
（第２の実施形態）
図５は本発明に係るマルチモード無線端末装置の第２の実施形態の概略構成を示すブロック図である。図５では図１と同じ構成部分には同一符号を付しており、以下では相違点を中心に説明する。
【００３６】
図５のマルチモード無線端末装置は、簡易端末機能部３，４が故障したか否かをそれぞれ検出する故障検出部６，７を有する。そして、いずれかの簡易端末機能部３，４が故障した場合には、対応する故障検出部６，７は送信停止制御部５に送信停止信号を供給する。
【００３７】
送信停止制御部５は、移動電話端末機能部１，２と簡易端末機能部３，４のいずれかからの送信停止信号を受信すると、移動電話端末機能部１，２と簡易端末機能部３，４のすべてに送信停止制御信号を供給する。
【００３８】
移動電話端末機能部１，２と簡易端末機能部３，４は、図２〜図４と同様に構成されている。
【００３９】
図６は、簡易端末機能部３，４と、この簡易端末機能部３，４の故障検出を行う故障検出部６，７との内部構成を示すブロック図である。図６では、簡易端末機能部３，４が図２と同様に構成されている例を示しているが、図３や図４と同様に構成されていてもよい。
【００４０】
故障検出部６，７は、対応する簡易端末機能部３，４内のデジタル部１１が故障か否かを判断するウォッチドックタイマ１７と、電力増幅部１４が故障か否かを判断する送信電力測定部１８とを有する。
【００４１】
簡易端末機能部３，４内のデジタル部１１は、所定の時間間隔で動作状態報告信号を出力する。ウォッチドックタイマ１７は、デジタル部１１から所定の時間間隔で動作状態報告信号が出力されなければ、簡易端末機能部３，４は暴走している可能性が高いことから、故障と判断する。
【００４２】
送信電力測定部１８は、電力増幅部１４の増幅電力を監視し、この増幅電力が規定値の範囲内になければ故障と判断する。
【００４３】
ウォッチドックタイマ１７と送信電力測定部１８の少なくとも一方が故障と判断すると、故障検出部６，７は送信停止制御部５に送信停止信号を供給する。
【００４４】
送信停止制御部５は、送信停止信号を受信すると、すべての移動電話端末機能部１，２と簡易端末機能部３，４に送信停止制御信号を供給し、この信号を受信した各機能部は、送信停止部１６により、電力供給部１５から電力増幅部１４への電力供給を停止させる。
【００４５】
このように、第２の実施形態では、簡易端末機能部３，４の故障を検出する故障検出部６，７を設けるため、いずれかの簡易端末機能部３，４が故障した場合に、マルチモード無線端末装置内のすべての移動電話端末機能部１，２と簡易端末機能部３，４からの電波の送信を停止させることができる。したがって、無線ＬＡＮシステムやＢｌｕｅｔｏｏｔｈ機器などの簡易端末機能部３，４の故障による影響が移動電話端末機能部１，２に及んだ場合でも、移動電話端末機能部１，２から電波が送信されないため、外界への影響を回避できる。
【００４６】
上述した各実施形態において、マルチモード無線端末装置内に含まれる移動電話端末機能部１，２と簡易端末機能部３，４の数には特に制限はない。最低、移動電話端末機能部１，２と簡易端末機能部３，４が一つずつ存在すればよい。また、移動電話端末機能部１，２や簡易端末機能部３，４の具体的な無線システムの種類も特に制限はない。
【００４７】
【発明の効果】
以上詳細に説明したように、本発明によれば、いずれかの第１送受信部が送信停止義務により電波の送信を停止する際には、他のすべての第１及び第２送受信部が電波の送信を停止するようにするため、電波の送信停止義務のない簡易端末機能部からの電波送信も確実に停止でき、不要な電波送信により重要通信の妨げになったり、端末装置の一部故障によるノイズを含んだ電波が送信されたりするおそれもなくなる。
【図面の簡単な説明】
【図１】本発明に係るマルチモード無線端末装置の第１の実施形態の概略構成を示すブロック図。
【図２】移動電話端末機能部１，２及び簡易端末機能部３，４の内部構成の一例を示すブロック図。
【図３】移動電話端末機能部１，２と簡易端末機能部３，４の内部構成の第１の変形例を示すブロック図。
【図４】移動電話端末機能部１，２と簡易端末機能部３，４の内部構成の第２の変形例を示すブロック図。
【図５】本発明に係るマルチモード無線端末装置の第２の実施形態の概略構成を示すブロック図。
【図６】簡易端末機能部３，４と、この簡易端末機能部３，４の故障検出を行う故障検出部６，７との内部構成を示すブロック図。
【図７】従来のマルチモード無線端末装置の概略構成を示すブロック図。
【符号の説明】
１，２　移動電話端末機能部
３，４　簡易端末機能部
５　送信停止制御部
１１　デジタル部
１２　Ｄ／Ａ変換部
１３　変調部
１４　電力増幅部
１５　電力供給部
１６　送信停止部
２１，２２　移動電話用設備
２３，２４　簡易端末
【図１】
2004128691.tif 000003
【図２】
2004128691.tif 000004
【図３】
2004128691.tif 000005
【図４】
2004128691.tif 000006
【図５】
2004128691.tif 000007
【図６】
2004128691.tif 000008
【図７】
2004128691.tif 000009